(57)【要約】【課題】施工が簡単であり、仕上げ処理をきれいに行えるコーナーガードを提供する。【解決手段】本発明によるコーナーガード(8)は２枚のボード(4,6)を連結して出隅構造(1)を構成し、ガードベース(10)とガードカバー(12)を有する。ガードベース(10)は、ボード(4,6)が差込まれる第１の差込み部(14)及び第２の差込み部(16)と、第１の差込み部(14)と第２の差込み部(16)を連結する連結部(18)を有する。出隅構造(1)の表側(A)において、第１の差込み部(14)と連結部(18)の間に第１の溝(38)が形成され、第２の差込み部(16)と連結部(18)の間に第２の溝(40)が形成され、ガードカバー(12)が、第１の溝(38)から第２の溝(40)まで延び、第１の溝(38)及び第２の溝(40)に形成された引掛け部(42,44)に引掛けられることによってガードベース(10)に取付けられる。【選択図】図４
2010265673.tif 000002
【特許請求の範囲】
【請求項１】
互いに角度をなすように配置される２枚のボードを連結して出隅構造を構成するコーナーガードであって、
一方のボードが差込まれる第１の差込み部と、他方のボードが差し込まれる第２の差込み部と、前記第１の差込み部と前記第２の差込み部を互いに連結する連結部と、を有するガードベースを有し、
出隅構造の表側において、前記第１の差込み部と前記連結部との間に第１の溝が形成され、前記第２の差込み部と前記連結部との間に第２の溝が形成され、
更に、前記第１の溝から前記第２の溝まで延びるガードカバーを有し、前記ガードカバーは、前記第１の溝及び前記第２の溝に形成された引掛け部に引掛けられることによって、前記ガードベースに取付けられることを特徴とするコーナーガード。
【請求項２】
前記第１の差込み部及び前記第２の差込み部の各々は、ボードの端部を包囲するように構成された表側プレート、裏側プレート、及び端プレートを有し、
前記ガードカバーは、前記第１の溝の中に位置決めされる第１の部分と、前記第２の溝の中に位置決めされる第２の部分と、前記第１の部分と前記第２の部分を連結する第３の部分とを有し、
前記第３の部分に連結されている方の前記第１の部分の端部の輪郭及び寸法は、前記ガイドカバーを前記ガイドベースに取付けたときに、前記第１の差込み部の表側プレートの表側の面の延長線上に位置するように定められ、
前記第３の部分に連結されている方の前記第２の部分の端部の輪郭及び寸法は、前記ガイドカバーを前記ガイドベースに取付けたときに、前記第２の差込み部の表側プレートの表側の面の延長線上に位置するように定められることを特徴とする請求項１に記載のコーナーガード。
【発明の詳細な説明】
【技術分野】
【０００１】
本発明は、建築部材に関し、更に詳細には、互いに角度をなすように配置される２枚のボードを連結して出隅を構成するコーナーガードに関する。
【背景技術】
【０００２】
従来、互いに角度をなすように配置される２枚のボードを連結して出隅を構成するコーナーガードが知られている（例えば、特許文献１参照）。
【先行技術文献】
【特許文献】
【０００３】
【特許文献１】特開２００３−１８４２７１号公報
【発明の概要】
【発明が解決しようとする課題】
【０００４】
コーナーガードにおいて、その施工が簡単であること、及び、塗装やクロス貼り等の仕上げ処理がきれいであることが望まれる。
【０００５】
そこで、本発明は、施工が簡単であり、仕上げ処理をきれいに行うことができるコーナーガードを提供することを目的とする。
【課題を解決するための手段】
【０００６】
上記目的を達成するために、本発明によるコーナーガードは、互いに角度をなすように配置される２枚のボードを連結して出隅構造を構成するコーナーガードであって、一方のボードが差込まれる第１の差込み部と、他方のボードが差し込まれる第２の差込み部と、第１の差込み部と第２の差込み部を互いに連結する連結部と、を有するガードベースを有し、出隅構造の凸側において、第１の差込み部と連結部との間に第１の溝が形成され、第２の差込み部と連結部との間に第２の溝が形成され、更に、第１の溝から第２の溝まで延びるガードカバーを有し、ガードカバーは、第１の溝及び第２の溝に形成された引掛け部に引掛けられることによって、ガードベースに取付けられることを特徴としている。
【０００７】
このように構成されたコーナーガードは、ガードベースの第１の差込み部及び第２の差込み部に２枚のボードを差込んだ後、ガードカバーをガードベースに引掛けることによって、ガードカバーをガードベースに取付けることによって施工される。従って、施工が簡単である。また、２枚のボードに塗装又はクロス貼りの仕上げ処理を行う場合、塗装の境界及びクロスの端部を、第１の溝、第２の溝及びガードカバーによって隠すことができる。従って、塗装及びクロス貼りの仕上げ処理をきれいに行うことができる。
【０００８】
本発明によるコーナーガードの実施形態において、好ましくは、第１の差込み部及び第２の差込み部の各々は、ボードの端部を包囲するように構成された表側プレート、裏側プレート、及び端プレートを有し、ガードカバーは、第１の溝の中に位置決めされる第１の部分と、第２の溝の中に位置決めされる第２の部分と、第１の部分と第２の部分を連結する第３の部分とを有し、第３の部分に連結されている方の第１の部分の端部の輪郭及び寸法は、ガイドカバーをガイドベースに取付けたときに、第１の差込み部の表側プレートの表側の面の延長線上に位置するように定められ、第３の部分に連結されている方の第２の部分の端部の輪郭及び寸法は、ガイドカバーをガイドベースに取付けたときに、第２の差込み部の表側プレートの表側の面の延長線上に位置するように定められる。
【０００９】
このように構成されたコーナーガードでは、ガイドベースとガイドカバーの間に段差ができないので、仕上げ処理を更にきれいに行うことができる。
【発明の効果】
【００１０】
本発明によるコーナーガードは、施工が簡単であり、仕上げ処理をきれいに行うことができる。
【図面の簡単な説明】
【００１１】
【図１】本発明の第１の実施形態のコーナーガードを含む出隅構造の破断斜視図である。
【図２】図１に示すコーナーガードのガードベースの断面図である。
【図３】図１に示すコーナーガードのガードカバーの断面図である。
【図４】本発明の第１の実施形態のコーナーガードを含む出隅構造の断面図である。
【図５】本発明の第２の実施形態のコーナーガードを含む出隅構造の断面図である。
【図６】本発明の第３の実施形態のコーナーガードを含む出隅構造の断面図である。
【発明を実施するための形態】
【００１２】
以下、図面を参照して、本発明の実施形態であるコーナーガードを説明する。図１は、本発明の第１の実施形態のコーナーガードを含む出隅構造の破断斜視図である。また、図２は、図１に示すコーナーガードのガードベースの断面図であり、図３は、図１に示すコーナーガードのガードカバーの断面図である。
【００１３】
図１に示すように、出隅構造１は、下地の一例であるほぼ正方形断面輪郭のコーナー支柱２と、コーナー支柱２のコーナーにおいて互いに角度をなすように配置された２枚のボード４、６と、２枚のボードを連結して出隅８ａを構成するコーナーガード８とを有している。このコーナーガード８が、本発明によるコーナーガードの第１の実施形態である。出隅構造１は、好ましくは、建物の内装に使用される。
【００１４】
コーナー支柱２は、例えば、スチールパイプで構成され、建物において上下方向に配置される。また、ボード４，６は、例えば、石膏ボードである。ボード４、６は、例えば、厚さが１２ｍｍのボードである。しかしながら、ボード４、６は、その他の厚さのボードを使用してもよいし、複数のボードを重ねて使用してもよい。
【００１５】
以下、出隅構造１の凸側、即ち、出隅８ａの側を表側Ａと称し、凹側、即ち、コーナー支柱２の側を裏側Ｂと称する（図４参照）。また、横方向にボード４、６が延びる方向をそれぞれボード方向４Ａ、６Ａと称する。
【００１６】
コーナーガード８は、コーナー支柱２に沿って上下方向に延びる長尺材であり、後で詳細に説明するガードベース１０とガードカバー１２とを有している。以下、コーナーガード８の断面構造について説明する。
【００１７】
図２に示すように、ガードベース１０は、第１のボード４が差込まれる第１の差込部１４と、第２のボード６が差し込まれる第２の差込み部１６と、第１の差込み部１４と前記第２の差込み部１６を互いに連結する連結部１８とを有している。第１の差込部１４、第２の差込部１６、及び連結部１８は、アルミニウム又は樹脂等で一体成形されることが好ましい。
【００１８】
第１の差込み部１４は、第１のボード４の端部を包囲するように構成された表側プレート２０と、裏側プレート２２と、これらのプレート２０、２２を連結する端プレート２４を有している。表側プレート２０及び裏側プレート２２は、端プレート２４に連結されたそれぞれの基端部２０ａ、２２ａからそれぞれの先端部２０ｂ、２２ｂまで、ほぼ平行に延び、先端部２０ｂ、２２ｂの間に、第１のボード４を受入れる差込み口２６を形成している。第１のボード４を第１の差込み部１４に差込んだときに第１のボード４が第１の差込み部１４によって挟み付けられるように、表側プレート２０及び裏側プレート２２は、それらの間の距離が先端部２０ｂ、２２ｂに向かって僅かに小さくなるように且つ撓むように構成されるのがよい。また、表側プレート２０及び裏側プレート２２と第１の差込み部１４に差込まれた第１のボード４との間の段差を小さくするために、表側プレート２０及び裏側プレート２２の肉厚は、先端部２０ｂ、２２ｂに向かって薄くなっていることが好ましい。裏側プレート２２のボード方向４Ａの長さは、表側プレート２０のボード方向４Ａの長さよりも長いことが好ましい。
【００１９】
表側プレート２０の基端部２０ａは、ガードカバー１２を小さくするために、裏側プレート２２の基端部２２ａよりも出隅８ａに近くに位置するように構成されることが好ましい。また、端プレート２４は、表側プレート２０の基端部２０ａから表側プレート２０に対して垂直方向に延びる表側部分２４ａと、裏側プレート２２の基端部２２ａから裏側プレート２２に対して垂直方向に延びる裏側部分２４ｂとを有し、表側部分２４ａと裏側部分２４ｂとは、表側プレート２０と裏側プレート２２中間において段部２４ｃが構成されるように連結されている。端プレート２４は、第１の差込み部１４の強度を確保するために、表側プレート２０及び裏側プレート２２よりも厚いことが好ましい。
【００２０】
第２の差込み部１６は、第１の差込み部１４と同様の構造を有しているので、その説明を省略する。
【００２１】
連結部１８は、第１の差込み部１４の段部２４ｃからボード方向４Ａに出隅８ａに向かって延びる第１の部分３１と、第１の部分３１からそれと垂直に表側Ａに向かって延びる第２の部分３２とを有している。また、連結部１８は、第２の差込み部１６の段部２４ｃからボード方向６Ａに出隅８ａに向かって延びる第３の部分３４と、第３の部分３３からそれと垂直に表側Ａに向かって延びる第４の部分３４とを有している。更に、連結部１８は、第２の部分３２と第４の部分３４とを連結する第５の部分３５を有している。本実施形態では、第５の部分３５は、Ｌ字形を有し、即ち、第２の部分３２からそれと垂直に出隅８ａに向かって延びる部分３５ａと、第４の部分３４からそれと垂直に出隅８ａに向かって延びる部分３５ｂを有し、これらの部分３５ａ、３５ｂは、出隅８ａのところで連結されている。第１〜第５の部分３１〜３５の肉厚は、端プレート２４の肉厚とほぼ同じであることが好ましい。
【００２２】
第１の差込み部１４の端プレート２４の表側部分２４ａと、第１の部分３１と、第２の部分３２とによって、第１の差込み部１４と連結部１８との間の第１の溝３８が表側Ａに形成されている。また、第２の差込み部１６の端プレート２４の表側部分２４ａと、第３の部分３３と、第４の部分３４とによって、第２の差込み部１６と連結部１８との間の第２の溝４０が表側Ａに形成されている。
【００２３】
第１の溝３８を構成する第２の部分３２の面に、ガードカバー１２を引掛けるための第１の凹部（引掛け部）４２が設けられている。また、第２の溝４０を構成する第４の部分３４の面に、ガードカバー１２を引掛けるための第２の凹部（引掛け部）４４が設けられている。
【００２４】
図３に示すように、ガードカバー１２は、第１の溝３８の中に位置決めされる第１の部分４６と、第２の溝４０の中に位置決めされる第２の部分４７と、第１の部分４６と第２の部分４７を連結する第３の部分４８とを有している。本実施形態では、第３の部分４８は、Ｌ字形を有し、即ち、第１の部分４６からそれと垂直に出隅８ａに向かって延びる部分４８ａと、第２の部分４７からそれと垂直に出隅８ａに向かって延びる部分４８ｂとを有しており、これらの部分４８ａ、４８ｂは、出隅８ａのところで連結されている。
【００２５】
第１の部分４６は、ガイドベース１０の第１の凹部４２に引掛け可能な第１の突起４６ａを有している。また、第２の部分４７は、ガイドベース１０の第２の凹部４４に引掛け可能な第２の突起４７ａを有している。
【００２６】
第３の部分４８に連結されている方の第１の部分４６の端部の輪郭及び寸法は、ガイドカバー１２をガイドベース１０に取付けたときに、第１の差込み部１４の表側プレート２０の表側Ａの面の延長線上に位置するか、又は、それを表側に越えないように定められる。同様に、第３の部分４８に連結されている方の第２の部分４７の端部の輪郭及び寸法は、ガイドカバー１２をガイドベース１０に取付けたときに、第２の差込み部１６の表側プレート２０の表側Ａの面の延長線上に位置するか、又は、それを表側に越えないように定められる。
【００２７】
また、第３の部分４８の上記部分４８ａの表側の面は、ガイドカバー１２をガイドベース１０に取付けたときに、ガイドベース１０の第１の差込み部１４の表側プレート２０の表側Ａの面の延長線上に位置することが好ましい。同様に、第３の部分４８の上記部分４８ｂの表側の面は、ガイドカバー１２をガイドベース１０に取付けたときに、第２の差込み部１６のガイドベース１０の表側プレート２０の表側Ａの面の延長線上に位置することが好ましい。
【００２８】
コーナーガード１２は、薄肉で作ることができ、コーナーの半径は、例えば０．５ｍｍである。０．５ｍｍの場合、出隅８ａは、それを見た者にシャープな印象を与えることができる。
【００２９】
次に、図４を参照して、出隅構造の施工手順の一例を説明する。ガードベース１０を両面テープ５０でコーナー支柱２に固定する。ガードベース１０の第１の差込み部１４及び第２の差込み部１６にそれぞれ、第１のボード４及び第２のボード６を差込む。更に、第１のボード４及び第２のボード６と表側プレート２０とをテープ５２で貼り付けてもよい。
【００３０】
第１のボード４及び第２のボード６をクロス貼りによって仕上げる場合、第１のボード４、第１の差込み部１４の表側プレート２０にクロス５４を貼り、クロスの端部を第１の溝３８に挿入するのがよい。同様に、第２のボード６、第２の差込み部１６の表側プレート２０にクロス５４を貼り、クロスの端部を第２の溝４０に挿入するのがよい。
【００３１】
その後、ガードカバー１２の第１の突起４６ａ及び第２の突起４７ａをそれぞれ、ガードベース１０の第１の溝３８の第１の凹部４２及び第２の溝４０の第２の凹部４４に引掛けることによって、ガードカバー１２をガードベース１０に取付ける。ガードカバー１２は、更に幅木５６（図１参照）によって固定されることが好ましい。
【００３２】
第１のボード４及び第２のボード６が、ガードベース１０第１の差込み部１４及び第２の差込み部１６に差込まれるので、第１のボード４及び第２のボード６の端部の処理が不要であり、施工が容易である。
【００３３】
また、クロス５４の端部が、第１及び第２の溝３８、４０及びガードカバー１２によって隠されるので、仕上げ処理がきれいになる。また、第１及び第２の溝３８、４０及びガードカバー１２の寸法を、クロス５４の端部が第１及び第２の溝３８、４０とガードカバー１２との間に挟みつけられるように定めれば、クロス５４の端部をコーナーベース８に強固に固定することができる。
【００３４】
また、ガードカバー１２が汚れたり、損傷したりした場合、ガードカバー１２だけを交換することができる。この際、ガードベース１０を取外す必要が無いので、ガードカバーの交換は容易である。また、色の異なるガードカバー１２を複数種類用意しておくだけで、顧客の好みの色に応じた出隅構造１を提供することが可能である。
【００３５】
第１のボード４及び第２のボード６をクロス貼りする代わりに、塗装仕上げしてもよい（図示せず）。その場合、第１のボード４、第１の差込み部１４の表側プレート２０に寒冷紗を貼り、その上にパテ処理してから塗装するのがよい。同様に、第２のボード６、第２の差込み部１６の表側プレート２０に寒冷紗を貼り、その上にパテ処理してから塗装するのがよい。この場合、塗装の境界が第１及び第２の溝３８、４０及びガードカバー１２によって隠されるので、仕上げ処理がきれいになる。
【００３６】
また、出隅構造１の変形例の施工手順として、ガードベース１０の第１の差込み部１４及び第２の差込み部１６にそれぞれ、第１のボード４及び第２のボード６を差込み、ガードカバー１２をガードベース１０に取付けてから、第１のボード４、第２のボード６及びコーナーガード８全体にわたって、クロスを貼ってもよい（図示せず）。
【００３７】
次に、図５を参照して、コーナーガードの変形例を説明する。図５は、本発明の第２の実施形態のコーナーガードを含む出隅構造の破断断面図である。
【００３８】
図５に示す出隅構造１’のコーナーガード８’は、コーナーガード１２’の第３の部分４８’が９０度の円弧の形状を有し、且つ、コーナーベース１０’の第５の部分３５’が上記第３の部分４８’に一致した形状を有していること以外、第１の実施形態のコーナーガード８と同様である。
【００３９】
次に、図６を参照して、コーナーガードの別の変形例を説明する。図６は、本発明の第３の実施形態のコーナーガードを含む出隅構造の破断断面図である。
【００４０】
図６に示す出隅構造１''のコーナーガード８''は、コーナーガード１２''の第３の部分４８''が直線状の形状を有し、且つ、コーナーベース１０''の第５の部分３５''が上記第３の部分４８''と一致した形状を有していること以外、第１の実施形態のコーナーガード８と同様である。
【００４１】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００４２】
２枚のボードがなす角度は、９０度に限らず、鋭角であってもよいし、鈍角であってもよい。
【００４３】
上記実施形態では、第１の差込み部１４の表側プレート２０の基端部２０ａは、ボード方向６Ａにおいて、裏側プレート２２の基端部２２ａよりも出隅８ａに近くに位置するように構成されていたが、両基端部２０ａ、２２ａが出隅８ａからボード方向６Ａに同じ距離のところに位置していてもよいし、表側プレート２０の基端部２０ａが、ボード方向６Ａにおいて、裏側プレート２２の基端部２２ａよりも出隅８ａから遠くに位置するように構成されていてもよい。また、上記実施形態では、端プレート２４の表側部分２４ａと裏側部分２４ｂとが段部２４ｃを構成するように連結されていたが、端プレート２４は、段部が形成されないように、表側プレート２０及び裏側プレート２２に対して斜めに延びていてもよい。上述した第１の差込み部の変更を、第２の差込み部１６に行ってもよい。
【００４４】
上記実施形態において、第１及び第２の溝３８、４０に第１及び第２の凹部（引掛け部）４２、４４が設けられ、ガードカバー１２に第１及び第２の突起４６ａ、４７ａが設けられていたが、第１及び第２の溝３８、４０に突起（引掛け部）が設けられ、ガードカバー１２に凹部が設けられていてもよい。
【符号の説明】
【００４５】
１  出隅構造
４  第１のボード
６  第２のボード
８  コーナーガード
１０  ガードベース
１２  ガードカバー
１４  第１の差込み部
１６  第２の差込み部
１８  連結部
２０  表側プレート
２２  裏側プレート
２４  端プレート
３８  第１の溝
４０  第２の溝
４２  第１の凹部（引掛け部）
４４  第２の凹部（引掛け部）
４６  第１の部分
４７  第２の部分
４８  第３の部分
Ａ  表側
Ｂ  裏側
【図１】
2010265673.tif 000003
【図２】
2010265673.tif 000004
【図３】
2010265673.tif 000005
【図４】
2010265673.tif 000006
【図５】
2010265673.tif 000007
【図６】
2010265673.tif 000008